【手続補正書】
【提出日】平成16年11月26日(2004.11.26)
【手続補正１】
【補正対象書類名】明細書
【補正対象項目名】全文
【補正方法】変更
【補正の内容】
【書類名】    明細書
【発明の名称】  遊技機
【特許請求の範囲】
【請求項１】  識別情報を表示する表示装置と、その表示装置に識別情報の動的表示を行わせる制御手段とを備え、前記識別情報の動的表示が予め定めた表示結果を現出した場合に遊技者にとって有利な特別遊技状態を付与する遊技機において、
前記制御手段は、
前記表示装置に前記特定表示が連続して現出する連続現出回数を記憶する回数記憶手段と、
その回数記憶手段に記憶される連続現出回数が所定回数に達したか否かを判断する第１判断手段と、
その第１判断手段により前記連続現出回数が所定回数に達したと判断された場合に、遊技状態を遊技者にとって有利な遊技状態へ遷移させる遊技状態変更手段とを備えていることを特徴とする遊技機。
【請求項２】  前記特定表示は、前記特別遊技状態が付与され易い動的表示であることを、その動的表示が表示結果を現出する前に示唆する有利表示とされていることを特徴とする請求項１記載の遊技機。
【請求項３】  前記制御手段は、前記表示装置に前記特定表示が所定回数連続して現出するとき、その特定表示の連続現出により遷移させる遊技状態と、動的表示毎に抽選される遊技状態とを比較して、遊技者にとって有利な一方の遊技状態へと遷移させるものであることを特徴とする請求項１又は２に記載の遊技機。
【請求項４】  前記制御手段は、前記動的表示が所定条件を満たすか否かを判断する第２判断手段を備え、その第２判断手段により所定条件を満たしていると判断された動的表示に前記特定表示が所定回数連続して現出する場合に、遊技状態を遊技者にとって有利な遊技状態へ遷移させるものであることを特徴とする請求項１から３のいずれかに記載の遊技機。
【請求項５】  前記制御手段は、１の特定表示が連続して現出しない場合には、その特定表示に代えて他の表示を特定表示とする特定表示変更手段を備えていることを特徴とする請求項１から４のいずれかに記載の遊技機。
【発明の詳細な説明】
【０００１】
【発明の属する技術分野】  本発明は、パチンコ機やスロットマシンに代表される遊技機に関するものである。
【０００２】
【従来の技術】  従来、パチンコ機等の遊技機においては、様々なバリエーションの変動表示ゲームが行われるものが主流である。この変動表示ゲームは、表示装置（例えば、ＬＣＤ）に複数個の図柄を表示し、所定の遊技条件に基づいてその複数個の図柄をスクロールして変動させるものである。そして、図柄のスクロールが停止した際に（所定の停止位置において）、停止図柄が予め定められた組み合わせとなっている場合に、遊技の状態を遊技者にとって有利な遊技状態（例えば、大当たり）とするものである。
【０００３】
【発明が解決しようとする課題】  しかしながら、この変動表示ゲームは、１回の変動表示でゲームが完結しているため、遊技性が断続的であり、例えば、大当たりに近い図柄でスクロールが停止したとしても、次回に行われる変動表示ゲームには影響しない。よって、遊技者は、同じ遊技機において、遊技を継続して行うことによる興趣を得ることできないといった問題点があった。
【０００４】
本発明は、上述した問題点を解決するためになされたものであり、遊技を継続することで興趣を得ることができる遊技機を提供することを目的としている。
【０００５】
【課題を解決するための手段】  この目的を達成するために請求項１記載の遊技機は、識別情報を表示する表示装置と、その表示装置に識別情報の動的表示を行わせる制御手段とを備え、前記識別情報の動的表示が予め定めた表示結果を現出した場合に遊技者にとって有利な特別遊技状態を付与するものであり、前記制御手段は、前記表示装置に前記特定表示が連続して現出する連続現出回数を記憶する回数記憶手段と、その回数記憶手段に記憶される連続現出回数が所定回数に達したか否かを判断する第１判断手段と、その第１判断手段により前記連続現出回数が所定回数に達したと判断された場合に、遊技状態を遊技者にとって有利な遊技状態へ遷移させる遊技状態変更手段とを備えている。
請求項２記載の遊技機は、請求項１記載の遊技機において、前記特定表示は、前記特別遊技状態が付与され易い動的表示であることを、その動的表示が表示結果を現出する前に示唆する有利表示とされている。
請求項３記載の遊技機は、請求項１又は２に記載の遊技機において、前記制御手段は、前記表示装置に前記特定表示が所定回数連続して現出するとき、その特定表示の連続現出により遷移させる遊技状態と、動的表示毎に抽選される遊技状態とを比較して、遊技者にとって有利な一方の遊技状態へと遷移させるものである。
請求項４記載の遊技機は、請求項１から３のいずれかに記載の遊技機において、前記制御手段は、前記動的表示が所定条件を満たすか否かを判断する第２判断手段を備え、その第２判断手段により所定条件を満たしていると判断された動的表示に前記特定表示が所定回数連続して現出する場合に、遊技状態を遊技者にとって有利な遊技状態へ遷移させるものである。
請求項５記載の遊技機は、請求項１から４のいずれかに記載の遊技機において、前記制御手段は、１の特定表示が連続して現出しない場合には、その特定表示に代えて他の表示を特定表示とする特定表示変更手段を備えている。
【０００６】
【発明の実施の形態】  以下、本発明の好ましい実施例について、添付図面を参照して説明する。本実施例では、遊技機の一例として弾球遊技機の一種であるパチンコ機、特に、第１種パチンコ遊技機を用いて説明する。なお、本発明を第３種パチンコ遊技機や他の遊技機に用いることは、当然に可能である。
【０００７】
図１は、本発明の第１実施例におけるパチンコ機Ｐの遊技盤の正面図である。遊技盤１の周囲には、球が入賞することにより５個から１５個の球が払い出される複数の入賞口２が設けられている。また、遊技盤１の中央には、複数種類の識別情報としての図柄などを表示する液晶ディスプレイ（以下単に「ＬＣＤ」と称す）３が設けられている。このＬＣＤ３の表示画面は縦方向に３分割されており、３分割された各表示領域３ａ，３ｂ，３ｃにおいて、それぞれ上から下へ縦方向にスクロールしながら図柄の変動表示が行われる。
【０００８】
ＬＣＤ３の下方には、図柄作動口（第１種始動口）４が設けられており、球がこの図柄作動口４に入賞することにより、前記したＬＣＤ３の変動表示が開始される。図柄作動口４の下方には、特定入賞口（大入賞口）５が設けられている。この特定入賞口５は、ＬＣＤ３の変動後の表示結果が予め定められた図柄の組み合わせの１つと一致する場合に、大当たりとなって、球が入賞しやすいように所定時間（例えば、３０秒経過するまで、或いは、球が１０個入賞するまで）開放される入賞口である。
【０００９】
この特定入賞口５内には、Ｖゾーン５ａが設けられており、特定入賞口５の開放中に、球がＶゾーン５ａ内を通過すると、継続権が成立して、特定入賞口５の閉鎖後、再度、その特定入賞口５が所定時間（又は、特定入賞口５に球が所定個数入賞するまで）開放される。この特定入賞口５の開閉動作は、最高で１６回（１６ラウンド）繰り返し可能にされており、開閉動作の行われ得る状態が、いわゆる所定の遊技価値が付与された状態（特別遊技状態）である。
【００１０】
なお、第３種パチンコ遊技機において所定の遊技価値が付与された状態（特別遊技状態）とは、ＬＣＤ３の変動後の表示結果が予め定められた図柄の組み合わせの１つと一致する場合に、特定入賞口が所定時間開放されることをいう。この特定入賞口の開放中に、球がその特定入賞口内へ入賞すると、特定入賞口とは別に設けられた大入賞口が所定時間、所定回数開放される。
【００１１】
図２は、パチンコ機Ｐの電気的構成を示したブロック図である。パチンコ機Ｐの主制御基板Ｃには、演算装置である１チップマイコンとしてのＭＰＵ２１が搭載されている。このＭＰＵ２１には、ＭＰＵ２１により実行される各種の制御プログラムや固定値データを記憶したＲＯＭ２２と、そのＲＯＭ２２内に記憶される制御プログラムの実行に当たって各種のデータ等を一時的に記憶するためのメモリであるＲＡＭ２３と、割込回路やタイマ回路、データ送受信回路などの各種回路が内蔵されている。図３から図６に示すフローチャートのプログラムは、制御プログラムの一部としてＲＯＭ２２内に記憶されている。
【００１２】
ＲＡＭ２３は、乱数カウンタ２３ａと、ハズレリーチカウンタ２３ｂと、ハズレリーチ図柄メモリ２３ｃと、連続リーチカウンタ２３ｄと、連続リーチ図柄メモリ２３ｅと、５つの図柄回転メモリ２３ｆ〜２３ｊと、バックアップエリア２３ｋとを備えている。また、ＲＡＭ２３には、パチンコ機Ｐの電源のオフ後においても、電源基板５０からバックアップ電圧が供給されており、データを保持（バックアップ）できるように構成されている。
【００１３】
乱数カウンタ２３ａは、大当たりの発生を決定するためのカウンタであり、後述する乱数更新処理（図４、Ｓ１６参照）によって、「０〜６３０」の範囲で２ｍｓ毎に１カウントずつ更新される。この乱数カウンタ２３ａの値は、遊技盤１に打ち込まれた球が図柄作動口４へ入賞して後述する第１種始動口スイッチ１８で検出されたとき（始動入賞時）に取得され、このとき取得された乱数カウンタ２３ａの値が「７」または「３１５」であった場合には、大当たりが発生する。大当たりが発生すると、大当たりコマンドが主制御基板Ｃから後述する表示用制御基板Ｄへ送信され、表示用制御基板Ｄは、その大当たりコマンドに基づいたＬＣＤ３の変動表示を行う。なお、始動入賞時に取得された乱数カウンタ２３ａの値は、図柄回転メモリ２３ｆ〜２３ｊの１つに書き込まれて記憶される。
【００１４】
ハズレリーチカウンタ２３ｂは、ハズレリーチの発生を決定するためのカウンタである。変動表示の途中でリーチ表示を現出させてからハズレとなるハズレリーチとするか、リーチ表示を現出させない通常のハズレとするかは、ハズレリーチカウンタ２３ｂの値に基づいて決定される。このハズレリーチカウンタ２３ｂの値は、後述する乱数更新処理（図４、Ｓ１６参照）によって、「０〜９」の範囲で２ｍｓ毎に１カウントずつ更新される。かかるハズレリーチカウンタ２３ｂの値は、前記した乱数カウンタ２３ａの値と同様に始動入賞時に取得され、このとき取得されたハズレリーチカウンタ２３ｂの値が「７」であった場合には、ハズレリーチが発生する。なお、始動入賞時に取得されたハズレリーチカウンタ２３ｂの値は、前記した乱数カウンタ２３ａの値と共に、図柄回転メモリ２３ｆ〜２３ｊの１つに書き込まれて記憶される。
【００１５】
ここで、リーチ表示とは、図柄の変動表示が開始された後、先に停止する左右の表示領域３ａ，３ｃに表示される図柄の組み合わせが大当たりの条件を満たしており、変動表示が続いている中央の表示領域３ｂの表示結果如何によっては大当たりとなることを遊技者に示唆する表示である。
【００１６】
ハズレリーチ図柄メモリ２３ｃは、ハズレリーチの発生時にＬＣＤ３の各表示領域３ａ，３ｂ，３ｃに表示する図柄の組み合わせを記憶するためのメモリである。このハズレリーチ図柄メモリ２３ｃには、後述する図柄カウンタ更新処理（図４、Ｓ２０参照）で更新されるカウンタの値に基づいて、図柄チェック処理（図４、Ｓ２１参照）により決定されたリーチ図柄が記憶される。始動入賞時に取得されたハズレリーチカウンタ２３ｂの値が「７」であってハズレリーチが発生する場合には、このハズレリーチ図柄メモリ２３ｃに記憶された図柄の組み合わせに従って変動表示が停止する。ここで、リーチ図柄とは、図柄の変動表示が開始された後、先に停止してリーチ表示を構成する２つの図柄を表すものである。
【００１７】
連続リーチカウンタ２３ｄは、ハズレリーチが１のリーチ図柄で連続して現出する回数を記憶するカウンタである。この連続リーチカウンタ２３ｄの値は、始動入賞時に取得されたハズレリーチカウンタ２３ｂの値が「７」であってハズレリーチの発生が確定し、且つ、そのハズレリーチが、前に発生が確定したハズレリーチ（以下、前回のハズレリーチと称す）と同一のリーチ図柄で現出する場合に「１」加算される（図６、Ｓ５５参照）。一方、ハズレリーチが、前回のハズレリーチとは異なるリーチ図柄で現出する場合には、連続リーチカウンタ２３ｄの値は０クリアされる（図６、Ｓ５８参照）。また、ハズレリーチカウンタ２３ｂの値が「７」以外の場合には、連続リーチカウンタ２３ｄの値は変更されること無く維持される。この連続リーチカウンタ２３ｄの値が「３」以上になると、乱数カウンタ２３ａに大当たりが発生する値「７」が書き込まれ（図６、Ｓ５７参照）、この書き込まれた値「７」が、始動入賞時に取得される乱数カウンタ２３ａの値とされて大当たりが発生する。
【００１８】
ここで、従来、ＬＣＤ３で行われる変動表示ゲームは、始動条件が成立（例えば、図柄作動口４への入賞）したときに取得される乱数カウンタの値に応じて１回毎に決定していたので、変動表示が開始してから停止するまでの１回の変動表示ゲームで１の遊技が完結していた。このため、大当たりを期待することができる表示（例えば、リーチ表示）は、その表示が発生した回の変動後の表示結果に対するものであり、その回以降の変動表示ゲームには全く関連の無いものであった。よって、リーチ表示などによって遊技者に付与される大当たりへの期待感は、変動表示が停止した時点で途絶えてしまい、複数回の変動表示ゲームに跨って大当たりへの期待感を継続させることができなかった。
【００１９】
しかし、本実施例では、ハズレリーチが同一のリーチ図柄で連続現出する回数を記憶する連続リーチカウンタ２３ｄの値が「３」以上となった場合には、乱数カウンタ２３ａに大当たりが発生する値「７」が書き込まれて大当たりが発生する。よって、ハズレリーチが同一のリーチ図柄で連続して発生するほど、大当たりとなり易い状態であることを遊技者に示唆することができ、段階的に大当たりに近づく興趣を遊技者に付与することができる。
【００２０】
連続リーチ図柄メモリ２３ｅは、前回のハズレリーチに使用されたリーチ図柄を記憶するメモリである。この連続リーチ図柄メモリ２３ｅには、大当たりとなり得るリーチ図柄毎にそれぞれ割り当てられた１バイトの図柄コード（例えば、１０Ｈや１ＡＨなど）が前回のリーチ図柄として記憶される。始動入賞時に取得されたハズレリーチカウンタ２３ｂの値が「７」であってハズレリーチが発生する場合には、ハズレリーチ図柄メモリ２３ｃに記憶されるリーチ図柄と、連続リーチ図柄メモリ２３ｅに記憶される前回のリーチ図柄とが同一であるか否かが確認される。即ち、ハズレリーチが同一のリーチ図柄で連続して現出するか否かが確認されるのである。確認の結果、同一のリーチ図柄でないと判断されると、ハズレリーチ図柄メモリ２３ｃに記憶されるリーチ図柄は、連続リーチ図柄メモリ２３ｅに書き込まれ、次にハズレリーチの発生が確定したときの前回のリーチ図柄として使用される。この確認の結果に基づいて連続リーチカウンタ２３ｄの値は、加算或いは０クリアされる。
【００２１】
なお、本実施例においては、同一のリーチ図柄によるリーチ表示が連続して現出する場合に連続の条件を満たしていると判断しているが、必ずしも同一であることを連続の条件とする必要はない。前回のリーチ図柄とは異なるリーチ図柄であっても、予め定めた条件を満たすリーチ図柄によるリーチ表示が連続して現出する場合に連続の条件を満たしていると判断しても良い。例えば、個々のリーチ図柄が１から９の数字によって構成されている場合に奇数のリーチ図柄と偶数のリーチ図柄とで区分し、奇数若しくは偶数のリーチ図柄が連続して現出するか否かを連続の条件としても良く、又は、リーチ図柄が赤色と青色のうちいずれか一方の色で表示される場合に赤色のリーチ図柄と青色のリーチ図柄とで区分し、赤色若しくは青色のリーチ図柄が連続して現出するか否かを連続の条件としても良い。予め定めた条件を満たすリーチ図柄が表示される場合に連続しているとみなすことによって、リーチ図柄の連続を期待して遊技を行う遊技者の期待感をより高めることができる。
【００２２】
図柄回転メモリ２３ｆ〜２３ｊは、ＬＣＤ３の各表示領域３ａ，３ｂ，３ｃに表示される図柄の変動パターンや停止図柄に対応した乱数カウンタ２３ａやハズレリーチカウンタ２３ｂ等の値を変動表示のデータ（変動表示情報）として記憶するメモリである。この図柄回転メモリ２３ｆ〜２３ｊへの変動表示情報の記憶は、始動入賞時に実行される。ここで、本実施例における変動表示の最大待機回数は４回であるので、図柄回転メモリ２３ｆ〜２３ｊは全部で５つ設けられている。即ち、図柄回転メモリ２３ｆ〜２３ｊの１つには変動中の変動表示情報が記憶され、他の４つには待機中の変動表示情報が記憶される。この５つの図柄回転メモリ２３ｆ〜２３ｊのデータは、１回の変動表示毎に使用される。なお、変動表示情報として、乱数カウンタ２３ａやハズレリーチカウンタ２３ｂの値をそのまま使用しても良く、又は、これらカウンタ２３ａ，２３ｂの値に対応づけた別の値や文字に変換して使用しても良い。
【００２３】
バックアップエリア２３ｋは、停電などの発生により電源が切断された場合、電源の再入時に、パチンコ機Ｐの状態を電源切断前の状態に復帰させるため、電源切断時（停電発生時を含む。以下、同様）のスタックポインタや、各レジスタ、Ｉ／Ｏ等の値を記憶しておくためのエリアである。このバックアップエリア２３ｋへの書き込みは、ＮＭＩ割込処理（図３参照）によって電源切断時に実行され、逆にバックアップエリア２３ｋに書き込まれた各値の復帰は、電源入時（停電解消による電源入を含む。以下、同様）の初期化処理（図５参照）において実行される。なお、ＭＰＵ２１のＮＭＩ（Non Maskable Interrupt）端子（ノンマスカブル割込端子）には、停電等の発生による電源断時に、後述する停電監視回路５０ｂから出力される停電信号５１が入力されるように構成されており、停電の発生により、図３の停電時処理（ＮＭＩ割込処理）が即座に実行される。
【００２４】
かかるＲＯＭ２２およびＲＡＭ２３を内蔵したＭＰＵ２１は入出力ポート２５と接続されており、入出力ポート２５は、電源基板５０に設けられたクリアスイッチ５０ｃと、払出モータ２６によって賞球や貸球の払出制御を行う払出制御基板Ｈと、前記した図柄の変動表示の制御を行う表示用制御基板Ｄと、スピーカ２７から効果音の出力制御を行う効果音制御基板Ｓと、ＬＥＤや各種ランプ２８の点灯制御を行うランプ制御基板Ｌと、第１種始動口スイッチ１８と、そのほか、他の入出力装置２９とにそれぞれ接続されている。
【００２５】
第１種始動口スイッチ１８は、図柄作動口（第１種始動口）４に入賞した球を検出するためのスイッチであり、図柄作動口４の近傍に設けられている。第１種始動口スイッチ１８によって球が検出されると、図示しない払出装置によって５個の賞球が払い出される。また、第１種始動口スイッチ１８によって球が検出された場合には、乱数カウンタ２３ａ及びハズレリーチカウンタ２３ｂの値が取得され、その取得された値が図柄回転メモリ２３ｆ〜２３ｊの１つに書き込まれて記憶される。
【００２６】
電源基板５０は、パチンコ機Ｐの各部に電力を供給するための電源部５０ａと、停電監視回路５０ｂと、クリアスイッチ５０ｃとを備えている。停電監視回路５０ｂは、停電等の発生による電源断時に、主制御基板ＣのＭＰＵ２１のＮＭＩ端子へ停電信号５１を出力するための回路である。停電監視回路５０ｂは、電源部５０ａから出力される最も大きい電圧である直流安定２４ボルトの電圧を監視し、この電圧が２２ボルト未満になった場合に停電（電源断）の発生と判断して、停電信号５１を主制御基板Ｃ及び払出制御基板Ｈへ出力するように構成されている。この停電信号５１の出力によって、主制御基板Ｃ及び払出制御基板Ｈは、停電の発生を認識し、停電時処理（主制御基板Ｃの場合は図３のＮＭＩ割込処理）を実行する。なお、電源部５０ａは、直流安定２４ボルトの電圧が２２ボルト未満になった後においても、かかる停電時処理の実行に充分な時間の間、制御系の駆動電圧である５ボルトの出力を正常値に維持するように構成されているので、主制御基板Ｃ及び払出制御基板Ｈは、停電時処理を正常に実行することができるのである。
【００２７】
クリアスイッチ５０ｃは、主制御基板ＣのＲＡＭ２３および払出制御基板ＨのＲＡＭ（図示せず）にバックアップされるデータをクリアするためのスイッチであり、押しボタンタイプのスイッチで構成されている。このクリアスイッチ５０ｃが押下された状態でパチンコ機Ｐの電源が投入されると（停電解消による電源入を含む）、主制御基板Ｃおよび払出制御基板Ｈによって、それぞれのＲＡＭ２３のデータがクリアされる。
【００２８】
次に、上記のように構成されたパチンコ機Ｐで実行される各処理を、図３から図６の各フローチャートを参照して説明する。図３は、停電の発生等によるパチンコ機Ｐの電源断時に、主制御基板Ｃで実行されるＮＭＩ割込処理のフローチャートである。このＮＭＩ割込処理により、停電の発生等による電源断時の主制御基板Ｃの状態がバックアップエリア２３ｋに記憶される。
【００２９】
停電の発生等によりパチンコ機Ｐの電源が断されると、停電監視回路５０ｂから停電信号５１が主制御基板ＣのＭＰＵ２１のＮＭＩ（Non Maskable Interrupt）端子へ出力される。すると、ＭＰＵ２１は、実行中の制御を中断して、図３のＮＭＩ割込処理を開始する。停電信号５１が出力された後所定時間は、主制御基板Ｃの処理が実行可能なように電源基板５０の電源部５０ａから電力供給がなされており、この所定時間内にＮＭＩ割込処理が実行される。
【００３０】
ＮＭＩ割込処理では、まず、各レジスタおよびＩ／Ｏ等の値をスタックエリアへ書き込み（Ｓ１）、次に、スタックポインタの値をバックアップエリア２３ｋへ書き込んで退避する（Ｓ２）。更に、停電発生情報をバックアップエリア２３ｋへ書き込んで（Ｓ３）、停電の発生等による電源断時の状態を記憶する。その後、その他停電処理を実行した後（Ｓ４）、電源が完全に断して処理が実行できなくなるまで、処理をループする。
【００３１】
図４は、パチンコ機Ｐの主制御基板Ｃにおいて実行されるメイン処理のフローチャートである。パチンコ機Ｐの主な制御は、このメイン処理によって実行される。メイン処理では、まず、割込を禁止した後（Ｓ１１）、図５に示す初期化処理を実行する（Ｓ１２）。ここで、図５のフローチャートを参照して、初期化処理について説明する。
【００３２】
図５は、パチンコ機Ｐの電源入時に主制御基板Ｃのメイン処理の中で実行される初期化処理（Ｓ１２）のフローチャートである。この処理では、バックアップが有効であれば、バックアップエリア２３ｋに記憶された各データを元の状態に戻し、遊技の制御を電源が断される前の状態から続行する。一方、バックアップが有効でなかったり、或いは、バックアップが有効であっても電源入時にクリアスイッチ５０ｃが押下された場合には、ＲＡＭクリア及び初期化処理を実行する。なお、この初期化処理（Ｓ１２）は、サブルーチンの形式で記載されているが、スタックポインタの設定前に実行される処理なので、実際には、サブルーチンコールされずに、Ｓ１１の処理後に順に実行される。
【００３３】
まず、スタックポインタを設定し（Ｓ４１）、クリアスイッチ５０ｃがオンされているか否かを確認する（Ｓ４２）。クリアスイッチ５０ｃがオンされていなければ（Ｓ４２：Ｎｏ）、バックアップが有効であるか否かを確認する（Ｓ４３）。この確認は、ＲＡＭ２３の所定のエリアに書き込まれたキーワードが正しく記憶されているか否かにより判断する。キーワードが正しく記憶されていればバックアップは有効であり、逆に、キーワードが正しくなければバックアップデータは破壊されているので、そのバックアップは有効ではない。バックアップが有効であれば（Ｓ４３：Ｙｅｓ）、処理をＳ４５へ移行して、主制御基板Ｃの各状態を電源断前の状態に復帰させる。一方、バックアップが有効でなかったり（Ｓ４３：Ｎｏ）、或いはクリアスイッチ５０ｃがオンされていれば（Ｓ４２：Ｙｅｓ）、ＲＡＭクリア及び初期化処理を実行して（Ｓ４４）、ＲＡＭ２３及びＩ／Ｏ等の各値を初期化し、この初期化処理を終了する。このＳ４４の処理の終了後は、図４のＳ１３の処理が実行される。
【００３４】
Ｓ４５からの復電処理では、まず、バックアップエリア２３ｋからスタックポインタの値を読み出して、これをスタックポインタへ書き込み、電源断前（停電前）の状態、即ちＮＭＩ割込発生前の状態に戻す（Ｓ４５）。次に、バックアップエリア２３ｋへ退避した各レジスタやＩ／Ｏ等のデータをそのバックアップエリア２３ｋから読み出して、これら各データを元のレジスタやＩ／Ｏ等へ書き込む（Ｓ４６）。更に、割込状態を停電発生時に実行される図３の処理で記憶しておいた電源断前（停電前）の状態、即ちＮＭＩ割込発生前の状態に戻し（Ｓ４７）、ＮＭＩ割込リターンを実行して処理を電源断前に実行していたところへ戻して、制御を電源断前の状態から続行する。
【００３５】
図４のフローチャートに戻って説明する。Ｓ１３の処理ではタイマ割込の設定を行う（Ｓ１３）。ここで設定されるタイマ割込としては、ＬＣＤ３の変動表示を制御する制御用コマンドを表示用制御基板Ｄへ送信するためのストローブ信号を発生させるタイマ割込などがある。タイマ割込の設定後は、各割込を許可状態とする（Ｓ１４）。割込の許可後は、特別図柄変動処理（Ｓ２５）や、表示データ作成処理（Ｓ２７）、ランプ・情報処理（Ｓ２８）などにより、前回の処理で更新された出力データを一度に各ポートへ出力するポート出力処理を実行する（Ｓ１５）。
【００３６】
更に、大当たりを決定するための乱数カウンタ２３ａの値及びハズレリーチカウンタ２３ｂの値を「＋１」更新する乱数更新処理（Ｓ１６）を実行し、記憶タイマ減算処理を実行する（Ｓ１７）。記憶タイマ減算処理は、大当たり判定の保留球が所定数以上あり、且つ、ＬＣＤ３において図柄の変動表示中である場合に、図柄の変動表示の時間短縮を行うものである。
【００３７】
スイッチ監視処理（Ｓ１８）は、ＩＮＴ割込で読み込まれた各スイッチの状態に応じて、遊技領域へ打ち込まれた球の入賞口２や特定入賞口５、図柄作動口４への入賞、更には賞球の払い出し等に関する処理を行うものである。図柄カウンタ更新処理（Ｓ２０）では、ＬＣＤ３で行われる変動表示の結果、停止表示される図柄を決定するためのカウンタの更新処理が行われる。また、図柄チェック処理（Ｓ２１）では、図柄カウンタ更新処理（Ｓ２０）で更新されたカウンタの値に基づいて、特別図柄変動処理（Ｓ２５）で使用される大当たり図柄や、ハズレ図柄、更にはリーチ図柄などが決定される。大当たりやハズレリーチなどの変動表示を設定するための図６に示す変動表示設定処理は、この図柄チェック処理（Ｓ２１）の中で実行される。
【００３８】
次いで、普通図柄変動処理（Ｓ２３）によって、７セグメントＬＥＤ（図示せず）の変動表示を行うと共に、その変動表示の結果、当たりが発生した場合には普通電動役物（図示せず）を所定時間開放する当たり処理を実行する。その後、状態フラグをチェックし（Ｓ２４）、ＬＣＤ３において図柄の変動開始または変動表示中であれば（Ｓ２４：図柄変動中）、特別図柄変動処理（Ｓ２５）によって、球が図柄作動口４に入賞するタイミングで読み取った乱数カウンタ２３ａの値に基づいて、大当たりか否かの判定が行われると共に、ＬＣＤ３において図柄の変動処理を実行する。一方、状態フラグをチェックした結果、大当たり中であれば（Ｓ２４：大当り中）、特定入賞口５を開放するなどの大当たり処理（Ｓ２６）を実行する。更に、状態フラグをチェックした結果、図柄の変動中でも大当たり中でもなければ（Ｓ２４：その他）、Ｓ２５及びＳ２６の処理をスキップして、Ｓ２７の表示データ作成処理へ移行する。
【００３９】
表示データ作成処理（Ｓ２７）では、図柄の変動表示以外にＬＣＤ３に表示されるデモデータや、７セグメントＬＥＤの表示データなどが作成され、ランプ・情報処理（Ｓ２８）では、保留球のランプデータをはじめ、各種のランプデータが作成される。効果音処理（Ｓ２９）では、遊技の状況に応じた効果音データが作成される。なお、これらの表示データ及び効果音データは、前記したポート出力処理（Ｓ１５）やタイマ割込処理によって各制御基板Ｈ，Ｄ，Ｓ，Ｌへ出力される。
【００４０】
効果音処理（Ｓ２９）の終了後は、次のＳ１５の処理の実行タイミングが到来するまでの残余時間の間、大当たりを決定するための乱数カウンタ２３ａの初期値を更新する乱数初期値更新処理（Ｓ３０）を繰り返し実行する。Ｓ１５〜Ｓ２９の各処理は定期的に実行する必要があるので、Ｓ３１の処理において前回のＳ１５の処理の実行からの経過時間をチェックする（Ｓ３１）。チェックの結果、前回のＳ１５の処理の実行から２ｍｓ経過していれば（Ｓ３１：Ｙｅｓ）、処理をＳ１５へ移行する。一方、２ｍｓ経過していなければ（Ｓ３１：Ｎｏ）、処理をＳ３０へ移行して、乱数初期値更新処理（Ｓ３０）の実行を繰り返す。ここで、Ｓ１５〜Ｓ２９の各処理の実行時間は、遊技の状態に応じて変化するので、次のＳ１５の処理の実行タイミングが到来するまでの残余時間は、一定の時間ではない。よって、かかる残余時間を使用して乱数初期値更新処理（Ｓ３０）を繰り返し実行することにより、乱数カウンタ２３ａの初期値をランダムに更新することができる。
【００４１】
図６は、図柄チェック処理（Ｓ２１）の中で実行される変動表示設定処理のフローチャートである。この変動表示設定処理では、ＬＣＤ３で行われる変動表示にハズレリーチが発生するとき、そのハズレリーチが同一のリーチ図柄で４回連続して現出した場合に、乱数カウンタ２３ａの値を大当たりが発生する値「７」に書き換える。
【００４２】
この変動表示設定処理では、まず、第１種始動口スイッチ１８が球を検出したか否かを確認する（Ｓ５１）。第１種始動口スイッチ１８が球を検出していれば（Ｓ５１：Ｙｅｓ）、次に、乱数カウンタ２３ａの値が大当たりが発生する値、即ち、「７」または「３１５」か否かを確認する（Ｓ５２）。乱数カウンタ２３ａの値が「７」または「３１５」でなければ（Ｓ５２：Ｎｏ）、大当たりが発生する値ではないので、次に、ハズレリーチカウンタ２３ｂの値がハズレリーチが発生する値、即ち、「７」か否かを確認する（Ｓ５３）。ハズレリーチカウンタ２３ｂの値が「７」であれば（Ｓ５３：Ｙｅｓ）、ハズレリーチ図柄メモリ２３ｃに記憶されたリーチ図柄が連続リーチ図柄メモリ２３ｅに記憶された前回のリーチ図柄と同一か確認する（Ｓ５４）。リーチ図柄が同一であれば（Ｓ５４：Ｙｅｓ）、ハズレリーチが同一のリーチ図柄で連続して現出するので、連続リーチカウンタ２３ｄの値に「１」加算し（Ｓ５５）、連続リーチカウンタ２３ｄの値が「３」以上であるか否かを確認する（Ｓ５６）。
【００４３】
連続リーチカウンタ２３ｄの値が「３」以上である場合には（Ｓ５６：Ｙｅｓ）、ハズレリーチが同一のリーチ図柄で４回連続して現出することが確定するので、乱数カウンタ２３ａに「７」を書き込み（Ｓ５７）、乱数カウンタ２３ａの値を大当たりが発生する値に変更する。そして、連続リーチカウンタ２３ｄの値を「０」クリアし（Ｓ５８）、乱数カウンタ２３ａ、ハズレリーチカウンタ２３ｂ及びハズレリーチ図柄メモリ２３ｃの内容を変動表示データとして図柄回転メモリ２３ｆ〜２３ｊの１つに記憶して（Ｓ５９）、この変動表示設定処理を終了する。なお、ハズレリーチが同一のリーチ図柄で４回連続して現出する場合に、乱数カウンタ２３ａの値を「７」にして大当たりとしているが、これに代えて、その他の大当たり値（例えば、「３１５」）にするようにしても良い。
【００４４】
一方、Ｓ５３の処理においてハズレリーチカウンタ２３ｂの値がハズレリーチが発生する値でない場合（Ｓ５３：Ｎｏ）、及び、Ｓ５６の処理において連続リーチカウンタ２３ｄの値が「３」以上でない場合（Ｓ５６：Ｎｏ）には、処理をＳ５９へ移行する。また、Ｓ５４の処理においてハズレリーチ図柄メモリ２３ｃに記憶されたリーチ図柄が連続リーチ図柄メモリ２３ｅに記憶された前回のリーチ図柄と同一でない場合には（Ｓ５４：Ｎｏ）、ハズレリーチ図柄メモリ２３ｃに記憶されたリーチ図柄を連続リーチ図柄メモリ２３ｅに書き込み（Ｓ６０）、処理をＳ５８へ移行する。Ｓ５２の処理において乱数カウンタ２３ａの値が大当たりが発生する値である場合にも（Ｓ５２：Ｙｅｓ）、処理をＳ５８へ移行する。なお、Ｓ５１の処理において、第１種始動口スイッチ１８が球を検出していない場合には（Ｓ５１：Ｎｏ）、Ｓ５２〜Ｓ６０の処理をスキップして、変動表示設定処理を終了する。
【００４５】
ここで、従来のパチンコ機には、大当たりの発生が確定したときに図柄回転メモリの内容を書き換えて、複数回の変動表示に跨って大当たりの発生を示唆する演出（例えば、大当たりの発生前にハズレリーチを連続発生させる）を行うものもあるが、この種のパチンコ機では、待機中の変動表示が無いときには大当たりの発生を示唆する演出を行うことができなかった。また、その演出を行う変動表示の回数は、書き換え可能な変動表示の回数に制限されてしまい、最長の場合でも最大待機回数（本実施例では４回）とされていた。本実施例のパチンコ機Ｐは、同一のリーチ図柄で連続したハズレリーチの回数が連続リーチカウンタ２３ｄに記憶され、その回数が所定回数に達したときに大当たりを発生させるので、待機中の変動表示が無い場合にも大当たりの発生を示唆する演出を継続することができると共に、その演出を最大待機回数より多くの変動表示に跨って行うことができる。
【００４６】
このように、変動表示設定処理を行うことにより、複数回の変動表示の中からハズレリーチが発生するときのみを対象にして、そのハズレリーチが同一のリーチ図柄で４回連続して現出する場合に乱数カウンタ２３ａの値を変更して大当たりを発生させることができる。よって、複数回の変動表示に跨ってパチンコ機Ｐの遊技状態を遊技者にとって有利な状態へと遷移させることができ、遊技者は、１のパチンコ機Ｐで遊技を継続することで興趣を得ることができる。また、ハズレリーチが１のリーチ図柄で連続して現出しない場合には、そのリーチ図柄に代えて、連続が途切れた変動表示において現出する他のリーチ図柄が連続リーチ図柄メモリ２３ｅに書き込まれるので、リーチ図柄の連続現出が途切れた後に、遊技者は、他のリーチ図柄の現出を期待して遊技を継続することができる。また、乱数カウンタ２３ａの値を直接変更して大当たりを発生させるので、簡易な制御で大当たりを発生させることができる。
【００４７】
次に、図７を参照して、第２実施例について説明する。この第２実施例は、前記した第１実施例に対し、ハズレリーチが同一のリーチ図柄で４回連続して現出するときに大当たりを発生させる方式を変えたものである。即ち、第１実施例においては、乱数カウンタ２３ａに大当たりが発生する値を直接書き込むことによって大当たりを発生させたのに対し、第２実施例では、始動入賞に基づいて乱数カウンタ２３ａの値を図柄回転メモリ２３ｆ〜２３ｊに記憶した後、その記憶した図柄回転メモリ２３ｆ〜２３ｊの内容を書き換えて大当たりを発生させるものである。以下、第２実施例の説明にあたり、前記した第１実施例と同一の部分には同一の符号を付してその説明は省略し、異なる部分のみを説明する。
【００４８】
図７は、第２実施例における変動表示設定処理のフローチャートである。この処理では、第１実施例の変動表示設定処理に対して、Ｓ６１からＳ６９の処理の部分が変更されている。図７の変動表示設定処理も、図柄チェック処理（Ｓ２１）の中で実行される。
【００４９】
Ｓ５１の処理で第１種始動口スイッチ１８が球を検出した場合、乱数カウンタ２３ａ、ハズレリーチカウンタ２３ｂ及びハズレリーチ図柄メモリ２３ｃの内容を変動表示のデータとして図柄回転メモリ２３ｆ〜２３ｊの１つに記憶し（Ｓ６１）、その記憶した乱数カウンタ２３ａの値が大当たりが発生する値か否かを確認する（Ｓ６２）。乱数カウンタ２３ａの値が大当たりが発生する値でない場合には（Ｓ６２：Ｎｏ）、図柄回転メモリ２３ｆ〜２３ｊに記憶されたハズレリーチカウンタ２３ｂの値がハズレリーチが発生する値か否かを確認する（Ｓ６３）。ハズレリーチカウンタ２３ｂの値がハズレリーチが発生する値であれば（Ｓ６３：Ｙｅｓ）、図柄回転メモリ２３ｆ〜２３ｊに記憶されたリーチ図柄が連続リーチ図柄メモリ２３ｅに記憶された前回のリーチ図柄と同一か否かを確認する（Ｓ６４）。確認の結果、リーチ図柄が同一であれば（Ｓ６４：Ｙｅｓ）、ハズレリーチが同一のリーチ図柄で連続して現出するので、連続リーチカウンタ２３ｄの値に「１」加算し（Ｓ６５）、連続リーチカウンタ２３ｄの値が「３」以上であるか否かを確認する（Ｓ６６）。
【００５０】
連続リーチカウンタ２３ｄの値が「３」以上であれば（Ｓ６６：Ｙｅｓ）、ハズレリーチが同一のリーチ図柄で４回連続して現出することが確定するので、図柄回転メモリ２３ｆ〜２３ｊに記憶された乱数カウンタ２３ａの値を「７」に書き換えて（Ｓ６７）、大当たりを発生させる。Ｓ６７の処理をした後は、連続リーチカウンタ２３ｄの値を「０」クリアして（Ｓ６８）、この変動表示設定処理を終了する。
【００５１】
一方、Ｓ６３の処理において、図柄回転メモリ２３ｆ〜２３ｊに記憶されたハズレリーチカウンタ２３ｂの値がハズレリーチが発生する値でない場合（Ｓ６３：Ｎｏ）、又は、Ｓ６６の処理において連続リーチカウンタ２３ｄの値が「３」以上でない場合には（Ｓ６６：Ｎｏ）、この変動表示設定処理を終了する。また、Ｓ６４の処理において図柄回転メモリ２３ｆ〜２３ｊに記憶されたリーチ図柄が連続リーチ図柄メモリ２３ｅに記憶された前回のリーチ図柄と同一でない場合には（Ｓ６４：Ｎｏ）、Ｓ６１の処理で図柄回転メモリ２３ｆ〜２３ｊに記憶されたリーチ図柄を連続リーチ図柄メモリ２３ｅに書き込み（Ｓ６９）、処理をＳ６８へ移行する。Ｓ６２の処理において、図柄回転メモリ２３ｆ〜２３ｊの１つに記憶された乱数カウンタ２３ａの値が大当たりが発生する値である場合にも（Ｓ６２：Ｙｅｓ）、処理をＳ６８へ移行する。
【００５２】
以上説明したように、第２実施例では、ハズレリーチが同一のリーチ図柄で４回連続して現出する場合に図柄回転メモリ２３ｆ〜２３ｊの内容を書き換えて大当たりを発生させるので、乱数カウンタ２３ａの値を変更することなく大当たりを発生させることができる。
【００５３】
次に、図８を参照して、第３実施例について説明する。前記した第１実施例では、ハズレリーチが同一のリーチ図柄で４回連続して現出する場合に乱数カウンタ２３ａの値を書き換えて、４回目のハズレリーチが現出する変動表示を大当たりにしていた。
【００５４】
これに対し、第３実施例では、ハズレリーチが同一のリーチ図柄で４回連続して現出する場合に、４回目のハズレリーチが現出する変動表示の次に開始される変動表示を大当たりにするものである。また、大当たりが発生する回の変動表示は、ハズレリーチが同一のリーチ図柄で連続現出して得られる大当たりと、始動入賞時に取得される乱数カウンタ２３ａの値に基づいた変動表示とを比較して決定し、遊技者にとって有利な一方の遊技状態へと遷移させるものである。
【００５５】
ここで、大当たりを付与する図柄には、普通変動図柄と、確率変動図柄との２種が定められており、普通変動図柄で大当たりが発生した場合には、特別遊技状態の終了後、通常の遊技状態に遷移する。一方、確率変動図柄で大当たりが発生した場合には、特別遊技状態の終了後、大当たりの発生確率が高確率とされる確率変動状態に遷移する。この確率変動図柄で発生する大当たりが遊技者にとって最も有利な大当たりであり、大当たりの後に特別遊技状態と確率変動状態とが連続して付与される遊技状態が、遊技者にとって最も有利な遊技状態である。なお、第３実施例では、ハズレリーチが同一のリーチ図柄で４回連続して現出した場合に普通変動図柄で大当たりが発生する。以下、第３実施例の説明にあたり、前記した第１実施例と同一の部分には同一の符号を付してその説明を省略する。
【００５６】
図８は、第３実施例における変動表示設定処理のフローチャートである。この処理では、第１実施例の変動表示設定処理に対して、Ｓ７１からＳ７８の処理の部分が変更されている。図８の変動表示設定処理も、図柄チェック処理（Ｓ２１）の中で実行される。
【００５７】
Ｓ５１の処理で第１種始動口スイッチ１８が球を検出した場合、連続リーチカウンタ２３ｄの値が「３」以上であるか確認する（Ｓ７１）。連続リーチカウンタ２３ｄの値が「３」以上でなければ（Ｓ７１：Ｎｏ）、乱数カウンタ２３ａの値が大当たりが発生する値であるか確認する（Ｓ７２）。乱数カウンタ２３ａの値が大当たりが発生する値でない場合は（Ｓ７２：Ｎｏ）、ハズレリーチカウンタ２３ｂの値がハズレリーチが発生する値であるか確認する（Ｓ７３）。ハズレリーチカウンタ２３ｂの値がハズレリーチが発生する値であれば（Ｓ７３：Ｙｅｓ）、ハズレリーチ図柄メモリ２３ｃに記憶されたリーチ図柄が連続リーチ図柄メモリ２３ｅに記憶された前回のリーチ図柄と同一か確認する（Ｓ７４）。リーチ図柄が同一でなければ（Ｓ７４：Ｎｏ）、ハズレリーチ図柄メモリ２３ｃに記憶されたリーチ図柄を連続リーチ図柄メモリ２３ｅに書き込み（Ｓ７５）、連続リーチカウンタ２３ｄの値を「０」クリアして（Ｓ７６）、処理をＳ５９へ移行する。
【００５８】
一方、Ｓ７４の処理において、ハズレリーチ図柄メモリ２３ｃに記憶されたリーチ図柄が連続リーチ図柄メモリ２３ｅに記憶された前回のリーチ図柄と同一であれば（Ｓ７４：Ｙｅｓ）、連続リーチカウンタ２３ｄの値に「１」加算し（Ｓ７９）、処理をＳ５９へ移行する。Ｓ７３の処理において、ハズレリーチカウンタ２３ｂの値がハズレリーチが発生する値でない場合にも（Ｓ７３：Ｎｏ）、処理をＳ５９へ移行する。
【００５９】
また、Ｓ７１の処理において連続リーチカウンタ２３ｄの値が「３」以上であれば（Ｓ７１：Ｙｅｓ）、前回の始動入賞によってハズレリーチが同一のリーチ図柄で４回連続して現出することが確定しているので、乱数カウンタ２３ａの値が確率変動図柄で大当たりが発生する値「７」であるか確認し（Ｓ７７）、「７」でない場合には（Ｓ７７：Ｎｏ）、乱数カウンタ２３ａに普通変動図柄で大当たりが発生する値「３１５」を書き込み（Ｓ７８）、処理をＳ７６へ移行する。
【００６０】
Ｓ７７の処理において、乱数カウンタ２３ａの値が「７」である場合には（Ｓ７７：Ｙｅｓ）、Ｓ７８の処理をスキップして、処理をＳ７６へ移行する。また、Ｓ７２の処理において、乱数カウンタ２３ａの値が大当たりが発生する値である場合には（Ｓ７２：Ｙｅｓ）、処理をＳ７６へ移行する。
【００６１】
以上説明したように、第３実施例では、前回の始動入賞によってハズレリーチが同一のリーチ図柄で４回連続して現出することが確定している場合に乱数カウンタ２３ａの値を変更して大当たりを発生させるので、パチンコ機Ｐで遊技をする遊技者に４回のハズレリーチが同一のリーチ図柄で連続して現出したことを確認させた後の変動表示を大当たりとすることができる。また、ハズレリーチが同一のリーチ図柄で連続現出して得られる普通変動図柄での大当たりと、始動入賞時の乱数カウンタ２３ａの値に基づいた変動表示とを比較し、乱数カウンタ２３ａの値に基づいた変動表示が確率変動図柄での大当たりとなった場合には、次回の変動表示で発生する大当たりは、始動入賞により取得された確率変動図柄での大当たりとされる。よって、遊技者には、当選した大当たりの内、最も有利な遊技状態に遷移する大当たりを確実に提供することができる。
【００６２】
次に、図９を参照して、第４実施例について説明する。前記した第３実施例では、ハズレリーチが同一のリーチ図柄で４回連続して現出する場合に、ハズレリーチが同一のリーチ図柄で連続現出して得られる大当たりと、始動入賞時の乱数カウンタ２３ａの値に基づいた変動表示とを比較して変動表示を決定していた。これに対し、第４実施例では、ハズレリーチが同一のリーチ図柄で４回連続して現出する場合に、ハズレリーチが同一のリーチ図柄で連続現出して得られる大当たりを優先して変動表示を決定するものである。以下、第４実施例の説明にあたり、前記した第３実施例と同一の部分には同一の符号を付してその説明を省略する。
【００６３】
図９は、第４実施例における変動表示設定処理のフローチャートである。この処理では、第３実施例の変動表示設定処理に対して、Ｓ８１の処理の部分が変更されている。図９の変動表示設定処理も、図柄チェック処理（Ｓ２１）の中で実行される。
【００６４】
Ｓ７１の処理で連続リーチカウンタ２３ｄの値が「３」以上であると確認された場合には、乱数カウンタ２３ａに確率変動図柄で大当たりが発生する値「７」を書き込み（Ｓ８１）、処理をＳ７６へ移行する。
【００６５】
このように、第４実施例では、連続リーチカウンタ２３ｄの値が「３」以上であってハズレリーチが同一のリーチ図柄で４回連続して現出することが確認された場合に、ハズレリーチが同一のリーチ図柄で連続現出して得られる大当たりを優先し、乱数カウンタ２３ａに確率変動図柄で大当たりが発生する値「７」を書き込む。ここで、本実施例では、乱数カウンタ２３ａの値に基づいて決定される大当たりの中で、遊技者にとって最も有利な大当たりは、確率変動図柄での大当たりである。よって、ハズレリーチが同一のリーチ図柄で連続現出して得られる大当たりと、乱数カウンタ２３ａの値に基づく変動表示とをわざわざ比較する必要が無く、主制御基板Ｃでの処理を迅速に行うことができる。
【００６６】
次に、図１０を参照して、第５実施例について説明する。前記した第３実施例では、ハズレリーチが同一のリーチ図柄で４回連続して現出する場合に、ハズレリーチが同一のリーチ図柄で連続現出して得られる大当たりと、始動入賞時の乱数カウンタ２３ａの値に基づいた変動表示とを比較して変動表示を決定した。これに対し、第５実施例では、ハズレリーチの現出に関わらず、始動入賞時の乱数カウンタ２３ａの値に基づいた変動表示が大当たりとなったときは、乱数カウンタ２３ａの値を優先して変動表示を決定するものである。以下、第５実施例の説明にあたり、前記した第３実施例と同一の部分には同一の符号を付してその説明を省略する。
【００６７】
図１０は、第５実施例における変動表示設定処理のフローチャートである。この処理では、第３実施例の変動表示設定処理に対して、Ｓ９１からＳ９３の処理の部分が変更されている。図１０の変動表示設定処理も、図柄チェック処理（Ｓ２１）の中で実行される。
【００６８】
Ｓ５１の処理で第１種始動口スイッチ１８が球を検出した場合、乱数カウンタ２３ａの値が大当たりが発生する値であるか確認する（Ｓ９１）。確認の結果、大当たりが発生する値であれば（Ｓ９１：Ｙｅｓ）、処理をＳ７６へ移行する。
【００６９】
一方、Ｓ９１の処理において、乱数カウンタ２３ａの値が大当たりが発生する値でなければ（Ｓ９１：Ｎｏ）、連続リーチカウンタ２３ｄの値が「３」以上であるか確認し（Ｓ９２）、確認の結果、「３」以上でなければ（Ｓ９２：Ｎｏ）、処理をＳ７３へ移行する。また、Ｓ９２の処理において、連続リーチカウンタ２３ｄの値が「３」以上であれば（Ｓ９２：Ｙｅｓ）、乱数カウンタ２３ａに普通変動図柄で大当たりが発生する値「３１５」を書き込み（Ｓ９３）、処理をＳ７６へ移行する。
【００７０】
このように、第５実施例では、始動入賞時の乱数カウンタ２３ａの値が大当たりが発生する値であるか確認し、大当たりが発生する値であれば、始動入賞時の乱数カウンタ２３ａの値を優先して図柄回転メモリ２３ｆ〜２３ｊに記憶する。よって、第３実施例のように、ハズレリーチが同一のリーチ図柄で４回連続して現出した場合に得られる大当たりと、乱数カウンタ２３ａの値に基づく変動表示とをわざわざ比較する必要が無く、主制御基板Ｃでの処理を迅速に行うことができる。
【００７１】
以上、実施例に基づき本発明を説明したが、本発明は上記実施例に何ら限定されるものではなく、本発明の趣旨を逸脱しない範囲内で種々の変形改良が可能であることは容易に推察できるものである。
【００７２】
例えば、上記実施例では、ハズレリーチのリーチ図柄に基づいた連続の条件を設定し、その条件を満たした場合に大当たりを発生させたが、これに代えて、変動表示の途中で表示される「女の子」や「魚群」などの示唆表示が所定回数連続して現出した場合に大当たりを発生させても良い。ここで、示唆表示とは、変動表示の途中で所定の図柄が現出して大当たりとなり易い変動表示であることを遊技者に示唆するものである。また、リーチ表示が現出した変動表示の表示結果であって大当たりを発生させる図柄の組み合わせに対して最後に停止する中央の変動表示領域３ｂの停止図柄が前または後に１つだけずれて停止した表示結果（表示）が所定回数連続して現出した場合に大当たりが発生するようにしても良い。例えば、リーチ図柄が「１」でリーチ表示が現出した場合には、最後に停止する図柄が「０」或いは「２」で停止した「１０１」或いは「１２１」の表示であり、リーチ図柄が「７」でリーチ表示が現出した場合には最後に停止する図柄が「６」或いは「９」で停止した「７６７」或いは「７８７」の表示である。
【００７３】
また、上記実施例では、全ての回の変動表示の中からハズレリーチが発生する変動表示のみを対象としてリーチ図柄を確認し、そのリーチ図柄が同一であることを連続の条件として大当たりを発生させたが、全ての回の変動表示を対象として予め定めた表示が現出するか否かを確認し、その表示が連続して現出することを連続の条件として大当たりを発生させても良い。例えば、連続する３回の変動表示にリーチ表示が３回連続して現出する場合や、連続する２回の変動表示に同一の図柄の組み合わせが２回連続して現出する場合に大当たりが発生するようにしても良い。また、図柄の変動表示が開始された後、先に停止する左右の表示領域３ａ，３ｃに表示される図柄の組み合わせが大当たりの条件を満たさないハズレ表示が所定回数（例えば、３０回）連続して現出した場合に大当たりが発生するようにしても良い。更に、リーチ表示、示唆表示若しくはハズレ表示などの大当たりに関連した表示とは異なり、大当たりの発生とは無関係な表示（専用表示）が連続して現出した場合に大当たりが発生するようにしても良い。例えば、始動条件の成立によって取得された乱数カウンタ２３ａの値が「１００」である場合にのみ、変動表示の途中で「サメ」を表示し、「サメ」の表示が連続する２回の変動表示に連続して現出した場合に大当たりが発生するようにしても良い。
【００７４】
また、上記実施例では、ハズレリーチが同一のリーチ図柄で４回連続して現出した場合に毎回同一の遊技状態に遷移する大当たりを発生させたが、遊技価値の異なる２種の遊技状態に遷移する大当たりから１の大当たりを選定して発生させても良い。例えば、始動入賞により取得される乱数カウンタ２３ａの値が奇数であるか偶数であるかを確認し、その値が奇数であるならばその乱数カウンタ２３ａの値を確率変動図柄で大当たりが発生する「７」に書き換え、その値が偶数であるならばその乱数カウンタ２３ａの値を普通変動図柄で大当たりが発生する「３１５」に書き換えても良い。
【００７５】
また、上記実施例では、ハズレリーチが同一のリーチ図柄で４回連続して現出した場合に遷移する遊技状態は特別遊技状態であったが、これに代えて、特別遊技状態の発生確率が通常状態より高確率とされる確率変動状態、始動条件の成立（例えば、図柄作動口４への入賞）が通常状態より容易にされると共に１回の変動表示に要する時間が短縮されて特別遊技状態が付与され易い時間短縮状態などとしても良い。この場合には、確率変動状態或いは時間短縮状態であるか否かをチェックするためのフラグをＲＡＭ２３に設け、そのフラグの状態に基づいて図４のＳ２５で示した特別図柄変動処理によって遊技状態を選定するように構成し、フラグのオンとオフとを切り替えることによって遊技状態を遷移させても良い。なお、確率変動状態や時間短縮状態に遷移した遊技状態を通常の状態に戻すタイミングとしては、大当たりが発生して特別遊技状態が付与されたとき、所定回数の変動表示が終了したとき、又は、変動表示の中で現出するリーチ表示、示唆表示若しくはハズレ表示等から予め定めた表示がＬＣＤ３に所定回数連続して現出したとき等とすることができる。
【００７６】
本発明を上記実施例とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として特別遊技状態となるパチンコ機として実施しても良い。更に、パチンコ機以外にも、アレパチ、雀球、いわゆるパチンコ機とスロットマシンとが融合した遊技機などの各種遊技機として実施するようにしても良い。
【００７７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００７８】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００７９】
以下に本発明の変形例を示す。識別情報を表示する表示装置と、その表示装置に識別情報の動的表示を行わせる制御手段とを備え、前記識別情報の動的表示が予め定めた表示結果を現出した場合に遊技者にとって有利な特別遊技状態を付与する遊技機において、前記制御手段は、前記表示装置に前記特定表示が連続して現出する連続現出回数を記憶する回数記憶手段と、その回数記憶手段に記憶される連続現出回数が所定回数に達したか否かを判断する第１判断手段と、その第１判断手段により前記連続現出回数が所定回数に達したと判断された場合に、遊技状態を遊技者にとって有利な遊技状態へ遷移させる遊技状態変更手段とを備えていることを特徴とする遊技機１。従来の遊技機においては、動的表示の開始から停止までの１の動的表示によって１の遊技が完結しており、１の遊技と、その遊技以降の動的表示による他の遊技とは関連の無い独立したものとされていた。このため、特別遊技状態が付与され易いことを示唆するリーチ表示や示唆表示などは、その表示が現出した１回の動的表示の表示結果に対するものであり、その回以降の動的表示には全く関連の無いものであった。よって、リーチ表示や示唆表示などの現出によって遊技者に付与される特別遊技状態への期待感は、動的表示が停止した時点で途絶えてしまい、複数回の動的表示に跨って特別遊技状態への期待感を持続させることができなかった。しかし、遊技機１によれば、特定表示の連続現出回数が所定回数に達すると、遊技状態変更手段により遊技状態が遊技者にとって有利な遊技状態へと遷移させられるので、特定表示の連続現出回数が所定回数へ近づく程、有利な遊技状態となり易いことを遊技者に示唆することができる。よって、従来のように、動的表示が停止した時点で途絶えていた有利な遊技状態に対する遊技者の期待感を複数回の動的表示に跨って持続させることができると共に、段階的に有利な遊技状態に近づく興趣を付与することができる。
【００８０】
なお、遊技者にとって有利な遊技状態としては、例えば、球、コイン又はメダル等の有価価値が遊技者に付与される特別遊技状態（大当たり状態）であっても良い。遊技者は、特定表示が所定回数連続して現出することによって直接的な利益を得ることができるので、動的表示の表示結果と同様に特定表示の連続現出を期待して遊技を行うことができる。また、遊技者にとって有利な遊技状態として、特別遊技状態の発生確率が通常状態より高確率とされる確率変動状態、或いは、始動条件の成立（例えば、図柄作動口への入賞）が通常状態より容易にされると共に１の動的表示に要する時間が短縮されて特別遊技状態が付与され易い時間短縮状態であっても良い。特定表示の連続現出によって遊技者に球、コイン又はメダル等の有価価値が直接的に付与されないので、遊技場に直接的な損失を与えることなく遊技者に特定表示の現出による遊技の興趣を提供することができる。更に、遊技状態変更手段により遊技状態を遊技者にとって有利な遊技状態へ遷移させるタイミングは、表示装置に特定表示が現出する動的表示からとしても良く、又は、特定表示が現出する動的表示より後に開始する動的表示からとしても良い。
【００８１】
遊技機１において、前記制御手段は、所定のタイミングで更新される乱数カウンタと、その乱数カウンタの値を更新する更新手段と、前記乱数カウンタの値に基づいた遊技情報を記憶する記憶手段と、その記憶手段に記憶された遊技情報に基づいて遊技状態を選定する選定手段とを備え、前記遊技状態変更手段は、前記記憶手段に記憶された遊技情報を所定の遊技情報に変更して遊技状態を遊技者にとって有利な遊技状態へ遷移させるものであることを特徴とする遊技機２。遊技状態は、記憶手段に記憶される遊技情報に基づいて選定手段により選定されるので、その遊技情報を遊技状態変更手段により所定の遊技情報に変更して遊技状態を遊技者にとって有利な遊技状態へ遷移させることができる。また、遊技状態変更手段により変更される遊技情報は、記憶手段に記憶されているので、乱数カウンタの値を乱すことなく遊技情報を変更することができる。よって、遊技状態に直接影響する乱数カウンタの値を更新させ続けることができ、遊技状態を決定する際のランダム性と公平性とを維持することができる。なお、乱数カウンタの値に基づいた遊技情報としては、乱数カウンタの値をそのまま使用しても良く、又は、乱数カウンタの値に対応させた別の値や文字などを使用しても良い。また、遊技状態変更手段によって変更される遊技情報としては、特定表示が現出して有利な遊技状態への遷移が確定する回の動的表示に対するものとしても良く、又は、その遷移が確定する回の次に開始される動的表示に対するものとしても良い。即ち、遊技状態変更手段は、特定表示が現出して有利な遊技状態への遷移が確定する回の動的表示に対する記憶手段に記憶された遊技情報を所定の遊技情報に変更して遊技状態を遊技者にとって有利な遊技状態へ遷移させるものであっても、特定表示が現出して有利な遊技状態への遷移が確定する回の次に開始される動的表示に対する記憶手段に記憶された遊技情報を所定の遊技情報に変更して遊技状態を遊技者にとって有利な遊技状態へ遷移させるものであっても良い。
【００８２】
遊技機１において、前記制御手段は、所定のタイミングで更新される乱数カウンタと、その乱数カウンタの値を更新する更新手段と、前記乱数カウンタの値に基づいて遊技状態を選定する選定手段とを備え、前記遊技状態変更手段は、前記乱数カウンタの値を所定の値に変更して遊技状態を遊技者にとって有利な遊技状態へ遷移させるものであることを特徴とする遊技機３。遊技状態は、乱数カウンタの値に基づいて選定手段に選定されるので、遊技状態変更手段により乱数カウンタの値を所定の値に変更して遊技状態を遊技者にとって有利な遊技状態へ遷移させることができる。また、遊技状態変更手段は、乱数カウンタの値を所定の値に変更するので、選定手段により選定される遊技状態を簡易に制御することができる。なお、遊技状態変更手段によって変更される乱数カウンタの値は、特定表示が現出して有利な遊技状態への遷移が確定する回の動的表示に対するものとしても良く、又は、その遷移が確定する回の次に開始される動的表示に対するものとしても良い。即ち、遊技状態変更手段は、特定表示が現出して有利な遊技状態への遷移が確定する回の動的表示に対する乱数カウンタの値を所定の値に変更して遊技状態を遊技者にとって有利な遊技状態へ遷移させるものであっても、特定表示が現出して有利な遊技状態への遷移が確定する回の次に開始される動的表示に対する乱数カウンタの値を所定の値に変更して遊技状態を遊技者にとって有利な遊技状態へ遷移させるものであっても良い。
【００８３】
遊技機１から３のいずれかにおいて、前記制御手段は、遊技状態情報を記憶する遊技状態記憶手段と、その遊技状態記憶手段に記憶された遊技状態情報に基づいて遊技状態を選定する第２選定手段とを備えており、前記遊技状態変更手段は、前記遊技状態記憶手段に記憶された遊技状態情報を変更して遊技状態を遊技者にとって有利な遊技状態へ遷移させるものであることを特徴とする遊技機４。遊技状態は、遊技状態記憶手段に記憶される遊技状態情報に基づいて第２選定手段により選定されるので、遊技状態変更手段により遊技状態情報を変更して遊技状態を遊技者にとって有利な遊技状態へ遷移させることができる。なお、遊技状態記憶手段としては、１ビットのメモリで構成されるフラグであっても、２ビット以上のメモリで構成されるカウンタ等であっても良い。
【００８４】
請求項１記載の遊技機または遊技機１から４のいずれかにおいて、前記制御手段は、前記動的表示が所定条件を満たすか否かを判断する第２判断手段を備え、その第２判断手段により所定条件を満たしていると判断された動的表示に前記特定表示が所定回数連続して現出する場合に、遊技状態を遊技者にとって有利な遊技状態へ遷移させるものであることを特徴とする遊技機５。複数回の動的表示の中から第２判断手段により所定条件を満たすと判断された動的表示（例えば、リーチ表示が現出するもの）に特定表示（例えば、「７」の図柄によるリーチ表示）が所定回数連続して現出した場合に遊技状態を遊技者にとって有利な遊技状態へ遷移させることができる。
【００８５】
請求項１記載の遊技機または遊技機１から５のいずれかにおいて、前記制御手段は、１の特定表示が連続して現出しない場合には、その特定表示に代えて他の表示を特定表示とする特定表示変更手段を備えていることを特徴とする遊技機６。特定表示が所定回数（例えば、４回）に達する直前（例えば、３回）まで連続して現出した後、特定表示が現出しないで連続現出回数が初期化されると、有利な遊技状態への期待感が増大されていた分だけ遊技者の落胆も大きく、遊技者の遊技に対する継続意欲が減衰してしまう。しかし、遊技機６によれば、１の特定表示が連続して現出しない場合には、特定表示変更手段によって他の表示を特定表示に変更する。よって、遊技者は、特定表示に変更された他の表示の現出を期待して遊技を継続することができる。なお、特定表示変更手段によって特定表示とされる他の表示としては、特定表示の連続現出が途切れた動的表示において現出するリーチ表示や示唆表示などを使用しても良く、又は、その動的表示の表示結果（例えば、３つの識別情報の組み合わせ）を使用しても良い。
【００８６】
遊技機６において、前記制御手段は、前記特定表示に基づいた特定表示情報を記憶する特定表示記憶手段を備えており、前記特定表示変更手段は、その特定表示記憶手段に記憶された特定表示情報を変更して前記他の表示を前記特定表示に変更するものであることを特徴とする遊技機７。特定表示情報としては、特定表示の表示データをそのまま使用しても良く、又は、特定表示とする表示毎に対応させた別の値や文字などを使用しても良い。
【００８７】
請求項１記載の遊技機または遊技機１から７のいずれかにおいて、前記特定表示は、前記特別遊技状態が付与され易い動的表示であることを、その動的表示が表示結果を現出する前に示唆する有利表示とされていることを特徴とする遊技機８。動的表示の途中で有利表示が現出した場合、特別遊技状態が付与され易い動的表示であることが遊技者に示唆されるので、その動的表示に対する遊技者の期待感は増大する。しかし、有利表示が現出した回の動的表示が特別遊技状態を付与しない表示結果を現出すると、遊技者が落胆し、遊技者の遊技に対する継続意欲が減衰してしまう。遊技機８によれば、特定表示が有利表示とされているので、有利表示が現出した場合に、遊技者に特別遊技状態を期待させることができると共に、有利表示が現出した回の動的表示が特別遊技状態を付与しない表示結果を現出しても、特定表示の連続現出回数が所定回数に近づくことにより有利な遊技状態が近づく興趣を遊技者に付与することができる。よって、遊技者の遊技に対する継続意欲が持続され、遊技を継続することによる興趣を遊技者に堪能させることができる。
【００８８】
ここで、有利表示とは、リーチ表示や示唆表示など動的表示の中で特別遊技状態が付与され易い動的表示であることを示唆する表示である。リーチ表示とは、複数の識別情報からなる識別情報列が予め定めた識別情報の組み合わせで確定停止して特別遊技状態が付与される遊技機において、少なくとも１つの識別情報列を残して他の識別情報列の動的表示が停止したとき、その停止した識別情報が特別遊技状態を付与する組み合わせの１部を構成し、動的表示中の表示結果如何によって特別遊技状態が付与されることを示唆する表示である。また、示唆表示とは、動的表示の途中で予め定めた図柄や文字などの識別情報が表示装置に現出して通常とは異なる動的表示であることを示唆する表示である。
【００８９】
なお、リーチ表示が現出した動的表示の表示結果であって特別遊技状態が付与される表示結果に対して予め定めた関係を有するものを特定表示としても良く、例えば、複数の識別情報からなる識別情報列の並び順に基づいた関係を有する表示結果を特定表示としても良い。特別遊技状態が付与される表示結果（例えば、「１１１」や「７７７」など３つの識別情報が同一の組み合わせ）に対して最後に停止する識別情報列が前または後に１つだけずれて停止した表示結果（例えば、最後に中央の識別情報が停止する場合、「１０１」や「７８７」などの組み合わせ）を特定表示としても良い。特別遊技状態が付与される表示結果に近い識別情報の組み合わせを特定表示とすることによって、従来は遊技状態に全く影響しなかった当たりに近い識別情報の組み合わせが所定回数連続して現出した場合に遊技状態を遊技者にとって有利な状態に遷移させることができる。
【００９０】
請求項１記載の遊技機または遊技機１から８のいずれかにおいて、前記特定表示は、前記特別遊技状態が付与され難い動的表示であることを、その動的表示が表示結果を現出する前に示唆する不利表示とされていることを特徴とする遊技機９。特別遊技状態が付与され易い動的表示であることを示唆する有利表示が動的表示中の所定のタイミングで現出しない場合、その動的表示が特別遊技状態が付与され難い動的表示（不利表示）であることが遊技者に示唆される。この不利表示が連続して現出する場合には、遊技者は、単調な遊技に苛立ちを感じ、遊技者の遊技に対する継続意欲が減衰してしまう。しかし、遊技機９によれば、特定表示が不利表示とされているので、不利表示が連続して現出した場合であっても、特定表示の連続現出回数が所定回数に近づくことにより有利な遊技状態が近づく興趣を遊技者に付与することができ、単調な遊技に対する遊技者の苛立ちを緩和することができる。よって、遊技者の遊技に対する継続意欲が持続され、遊技を継続することによる興趣を遊技者に堪能させることができる。また、従来の遊技機においては低価値でしかなかった不利表示を有利な遊技状態に遷移する契機とすることができ、不利表示を期待して遊技を行う新たな興趣を遊技者に提供することができる。
【００９１】
請求項１記載の遊技機または遊技機１から９のいずれかにおいて、前記特定表示は、前記動的表示の表示結果とは無関係に、その動的表示に現出する専用表示とされていることを特徴とする遊技機１０。特定表示が、動的表示の表示結果とは無関係に現出する専用表示であるので、遊技者は、動的表示の表示結果に基づいて付与される特別遊技状態と、特定表示の連続現出によって遷移する有利な遊技状態とを、それぞれ個別に期待して遊技を行うことができる。なお、専用表示とは、例えば、始動条件の成立によって取得された乱数カウンタの値が「１００」である場合にのみ動的表示の途中で現出させる「サメ」の表示などの偶発的な表示であり、特別遊技状態が付与され易い又は付与され難い動的表示であることを動的表示の途中で遊技者に示唆するリーチ表示、示唆表示若しくはハズレ表示等とは異なるものである。
【００９２】
請求項１記載の遊技機または遊技機１から１０のいずれかにおいて、前記制御手段は、前記特定表示が所定回数連続して現出したときに遷移させる遊技状態を少なくとも２種以上備えており、所定条件に基づいてその２種以上の遊技状態を選定するものであることを特徴とする遊技機１１。遊技状態としては、例えば、特別遊技状態が付与される遊技状態（普通変動図柄での大当たりによって遷移する遊技状態）と、特別遊技状態および確率変動状態が連続して付与される遊技状態（確率変動図柄での大当たりによって遷移する遊技状態）等が例示される。また、２種以上の遊技状態を選定する際の所定条件としては、例えば、乱数カウンタの値が奇数であるか偶数であるかという条件等が例示される。
【００９３】
請求項１記載の遊技機または遊技機１から１１のいずれかにおいて、前記制御手段は、前記表示装置に前記特定表示が所定回数連続して現出するとき、その特定表示の連続現出により遷移させる遊技状態と、動的表示毎に抽選される遊技状態とを比較して、遊技者にとって有利な一方の遊技状態へと遷移させるものであることを特徴とする遊技機１２。特定表示が所定回数連続して現出した場合に、その特定表示の連続現出により遷移させる遊技状態（例えば、確率変動状態）より、動的表示毎に抽選された遊技状態の方が有利な遊技状態（例えば、特別遊技状態）となることが有るが、このとき、遊技状態を特定表示の連続現出に従った遊技状態に遷移させるのは遊技者に対して不当な遊技状態を付与することとなる。しかし、遊技機１２によれば、制御手段は、特定表示の連続現出により遷移させる遊技状態と、動的表示毎に抽選される遊技状態とを比較して、遊技者にとって有利な一方の遊技状態へと遷移させるものであるので、公正な遊技状態を遊技者に付与することができる。
【００９４】
請求項１記載の遊技機または遊技機１から１２のいずれかにおいて、前記制御手段は、前記表示装置に前記特定表示が所定回数連続して現出する場合に遷移させる遊技状態よりも、動的表示毎に抽選される遊技状態が遊技者にとって更に有利な第１遊技状態であるか否かを判定する第１判定手段を備えており、その第１判定手段により動的表示毎に抽選された遊技状態が前記第１遊技状態であると判定された場合には、その第１遊技状態へと遊技状態を遷移させるものであることを特徴とする遊技機１３。特定表示の連続現出により遷移させる遊技状態よりも、動的表示毎に抽選される遊技状態が遊技者にとって更に有利な第１遊技状態で有るか否かを第１判定手段により判定することができるので、その判定結果に基づいて遷移させる遊技状態を決定することができる。よって、特定表示の連続現出により遷移させる遊技状態と、動的表示毎に抽選される遊技状態との内、遊技者にとって有利な一方の遊技状態へと確実に遷移させることができ、不当な遊技状態が抽選されることなく、公正な遊技状態を遊技者に付与することができる。
【００９５】
請求項１記載の遊技機または遊技機１から１３のいずれかにおいて、前記制御手段は、前記表示装置に前記特定表示が所定回数連続して現出する場合に、遊技状態を遊技者にとって最も有利な遊技状態に遷移させるものであることを特徴とする遊技機１４。２以上の抽選に基づいた遊技状態の中から遊技者にとって一番有利な遊技状態を選定する制御をする場合に、他の抽選に基づいた遊技状態より、特定表示の連続現出により遷移させる遊技状態を優先させて、遊技状態を決定することができる。よって、制御手段で行われる処理を迅速且つスムースに行うことができる。
【００９６】
請求項１記載の遊技機または遊技機１から１４のいずれかにおいて、前記制御手段は、前記特別遊技状態が付与された場合に、前記表示装置に前記特定表示が連続して現出する連続現出回数の計数値を初期化することを特徴とする遊技機１５。動的表示毎の抽選によって特別遊技状態が付与されても特定表示の連続現出回数を継続して計数すると、遊技者にとって有利な遊技状態が従来の遊技機より頻繁に発生してしまい、１の遊技機により得られる遊技場の利益が減少する。一方、特定表示を現出し難くすれば、遊技者には、特定表示の連続現出による遊技の興趣を堪能させることができない。しかし、遊技機１５によれば、特別遊技状態が付与された場合には、連続現出回数の計数値が初期化されるので、特別遊技状態が付与された直後に特定表示の連続現出回数が所定回数に達することがなく、有利な遊技状態の連続発生を抑止することができる。よって、遊技場の利益を確保しつつ、特定表示の現出頻度を高めることができ、遊技者には、特定表示の連続現出による遊技の興趣を堪能させることができる。
【００９７】
請求項１記載の遊技機または遊技機１から１５のいずれかにおいて、前記遊技機はパチンコ機であることを特徴とする遊技機１６。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００９８】
請求項１記載の遊技機または遊技機１から１５のいずれかにおいて、前記遊技機はスロットマシンであることを特徴とする遊技機１７。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００９９】
請求項１記載の遊技機または遊技機１から１５のいずれかにおいて、前記遊技機はパチンコ機とスロットマシンとを融合させたものであることを特徴とする遊技機１８。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【０１００】
【発明の効果】  請求項１記載の遊技機によれば、特定表示の連続現出回数が所定回数に達すると、遊技状態変更手段により遊技状態が遊技者にとって有利な遊技状態へと遷移させられるので、特定表示の連続現出回数が所定回数へ近づく程、有利な遊技状態となり易いことを遊技者に示唆することができるという効果がある。また、複数回の動的表示に跨って遊技状態を遊技者にとって有利な状態へと遷移させることができるので、遊技者は遊技を継続することで興趣を得ることができるという効果がある。
【０１０１】
請求項２記載の遊技機によれば、請求項１記載の遊技機の奏する効果に加え、特定表示が有利表示とされているので、有利表示が現出した場合に、遊技者に特別遊技状態を期待させることができると共に、有利表示が現出した回の動的表示が特別遊技状態を付与しない表示結果を現出しても、特定表示の連続現出回数が所定回数に近づくことにより有利な遊技状態が近づく興趣を遊技者に付与することができる。よって、遊技者の遊技に対する継続意欲が持続され、遊技を継続することによる興趣を遊技者に堪能させることができるという効果がある。
【０１０２】
請求項３記載の遊技機によれば、請求項１又は２に記載の遊技機の奏する効果に加え、制御手段は、特定表示の連続現出により遷移させる遊技状態と、動的表示毎に抽選される遊技状態とを比較して、遊技者にとって有利な一方の遊技状態へと遷移させるものであるので、公正な遊技状態を遊技者に付与することができるという効果がある。
【０１０３】
請求項４記載の遊技機によれば、請求項１から３のいずれかに記載の遊技機の奏する効果に加え、複数回の動的表示の中から第２判断手段により所定条件を満たすと判断された動的表示に特定表示が所定回数連続して現出した場合に遊技状態を遊技者にとって有利な遊技状態へ遷移させることができるという効果がある。
【０１０４】
請求項５記載の遊技機によれば、請求項１から４のいずれかに記載の遊技機の奏する効果に加え、１の特定表示が連続して現出しない場合には、特定表示変更手段によって他の表示を特定表示に変更する。よって、遊技者は、特定表示に変更された他の表示の現出を期待して遊技を継続することができるという効果がある。
【図面の簡単な説明】
【図１】  本発明の第１実施例におけるパチンコ機の遊技盤の正面図である。
【図２】  パチンコ機の電気的構成を示したブロック図である。
【図３】  停電の発生等によるパチンコ機の電源断時に、主制御基板で実行されるＮＭＩ割込処理のフローチャートである。
【図４】  主制御基板で実行されるメイン処理のフローチャートである。
【図５】  パチンコ機の電源入時に主制御基板のメイン処理の中で実行される初期化処理のフローチャートである。
【図６】  メイン処理の中で実行される変動表示設定処理のフローチャートである。
【図７】  第２実施例の変動表示設定処理のフローチャートである。
【図８】  第３実施例の変動表示設定処理のフローチャートである。
【図９】  第４実施例の変動表示設定処理のフローチャートである。
【図１０】  第５実施例の変動表示設定処理のフローチャートである。
【符号の説明】
３            ＬＣＤ（表示装置）
２３ｄ 連続リーチカウンタ（回数記憶手段）
Ｃ            主制御基板（制御手段の一部）
Ｄ            表示用制御基板（制御手段の一部）
Ｐ            パチンコ機（遊技機）